(57)【要約】【課題】送電鉄塔のアーム間の塔体部を塗装する際に、線路停止を不要とでき、かつ、養生ネットの展開、重畳が行える養生装置及びそれを用いた養生工法を提供すること。【解決手段】送電鉄塔２におけるベンド上のアーム２ａ（２ａＡ〜２ａＢ）間の塔体部２ｂを塗装する際の塗装飛沫の飛散を防止するための養生ネット６（６Ａ、６ｂ）を展開する養生装置１である。面単位で上下方向に展開・重畳可能な長方形の絶縁性の養生ネット６（６Ａ、６ｂ）と、標準距離を遵守できるように塔体部２ｂとは離間して養生ネット６（６Ａ、６ｂ）を塔体部２ｂの面に沿って上下方向に展開・重畳し、養生ネット６（６Ａ、６ｂ）が展開された状態で養生ネット６（６Ａ、６ｂ）の位置が標準距離を遵守できるように養生ネット６（６Ａ、６ｂ）を塔体部２ｂとは離間して塔体部２ｂの外側に固定する固定具４（４Ａ〜４Ｃ）とを備えている。【選択図】図１
2007262768.tif 000002
【特許請求の範囲】
【請求項１】
送電鉄塔におけるベンド上のアーム間の塔体部を塗装する際の塗装飛沫の飛散を防止するための養生ネットを展開する養生装置であって、
面単位で上下方向に展開・重畳可能な長方形の絶縁性の養生ネットと、
標準距離を遵守できるように塔体部とは離間して前記養生ネットを前記塔体部の面に沿って上下方向に展開・重畳し、該養生ネットが展開された状態で養生ネットの位置が標準距離を遵守できるように該養生ネットを塔体部とは離間して該塔体部の外側に固定する固定具と、
を備えていることを特徴とするベンド上の養生装置。
【請求項２】
前記養生ネットを前記アーム間に展開した状態で前記アーム間の塔体部を塗装するとともに、一時的に塗装作業を中断する場合には、前記養生ネットを重畳した状態で塔体部に固定し、また、塗装作業終了時には、養生装置を回収することを特徴とする請求項１記載の養生装置を用いたベンド上の養生工法。
【発明の詳細な説明】
【技術分野】
【０００１】
本発明は送電鉄塔におけるベンド上のアーム間を塗装する際のベンド上の養生装置及びそれを用いたベンド上の養生工法に関する。
【背景技術】
【０００２】
送電鉄塔は、防錆のために定期的に刷毛塗りなどにより塗装されているが、塗装時に刷毛等から塗料（ペンキ）が垂れ落ちることがよくあり、高所から塗料が垂れ落ちると風等の影響で鉄塔外方に飛散するおそれがある。それ故、市街地にある鉄塔を塗装するときには、線路を停止して、塗料の飛散防止用の養生ネットで送電鉄塔の全体を囲繞したのちに塗装作業が行われていた。
【０００３】
しかしながら、送電鉄塔の全体を囲繞する構成では、線路停止が必要であることに加えて、養生ネットが大きくなるという課題がある。このため、鉄塔本体の周囲の一部を養生ネットで囲繞して、塗装すべき位置に応じて囲繞した養生ネットの位置を上下動させることにより養生ネットの大きさを低減できる養生装置及び養生工法が種々提案されている（例えば、特許文献１〜３参照。）
【特許文献１】特開昭５９−１４１６６９号公報（請求項１）
【特許文献２】特開２０００−１７９１５８号公報
【特許文献３】特開２００１−３４７２０３号公報
【発明の開示】
【発明が解決しようとする課題】
【０００４】
しかしながら、これらの提案されている養生装置及び養生工法では、鉄塔のアーム下部での塗装に対しては有効であるが、ベンド上、特にアーム近辺又はアーム上での養生には送電線と干渉するので採用することができない。
【０００５】
また、鉄塔上では、天候の急変などによる安全面の配慮から、一時的に塗装作業を中断する場合がある。塗装作業を一時的に中断する場合では、養生ネットを一時的に重畳するのが望ましい。
【０００６】
そこで、本発明は、送電鉄塔のベンド上のアーム間の塔体部を塗装する際に、線路停止を不要とでき、かつ、養生ネットの展開、重畳が行えるベンド上の養生装置及びそれを用いたベンド上の養生工法を提供することを目的とする。
【課題を解決するための手段】
【０００７】
本発明者等は、送電鉄塔のベンド上のアーム間の塔体部を養生する際に、アーム間を面単位で上下方向に展開・重畳可能な養生ネットを採用することにより、アーム間での養生ネットの展開、重畳が行える養生装置を提供できるのではないかと考えた。また、この場合、面単位で展開される養生ネットの張設位置を所定の標準距離を遵守した範囲内に設定すれば、線路停止を不要としても、塗装作業を安全に行えるのではないかと考えた。
【０００８】
すなわち、本発明は、送電鉄塔におけるベンド上のアーム間の塔体部を塗装する際の塗装飛沫の飛散を防止するための養生ネットを展開する養生装置であって、面単位で上下方向に展開・重畳可能な長方形の絶縁性の養生ネットと、標準距離を遵守できるように塔体部とは離間して前記養生ネットを前記塔体部の面に沿って上下方向に展開・重畳し、該養生ネットが展開された状態で養生ネットの位置が標準距離を遵守できるように該養生ネットを塔体部とは離間して該塔体部の外側に固定する固定具と、を備えていることを特徴とするベンド上の養生装置である。
【０００９】
また、本発明は、上記養生装置を用いたベンド上の養生工法であって、前記養生ネットを前記アーム間に展開した状態で前記アーム間の塔体部を塗装するとともに、一時的に塗装作業を中断する場合には、前記養生ネットを重畳した状態で塔体部に固定し、また、塗装作業終了時には、養生装置を回収することを特徴とするベンド上の養生工法である。
【００１０】
ここで、養生ネットとしては、先端両端部には絶縁性の吊り下げロープが固定され、基部端縁には塔体部との締結部材（例えば、小ロープ）が固定されるとともに、両側縁に養生ネットを鉛直方向に展開するためのカラビナなどの環状のガイド部材を所定間隔を開けて設けているのが好ましい。
【００１１】
また、固定具としては、養生ネットの位置を標準距離内に維持するために本体部の四隅より突設して固定される突設固定部材（固定金具）と、該突設固定部材により概略鉛直方向（垂直方向）に固定される垂直ロープ（ガイドロープ）とから構成されるのが好ましい。このような垂直ロープには、養生ネットのカラビナが挿嵌されて養生ネットは垂直ロープに誘導されて上下方向に展開又は重畳可能に構成される。
【００１２】
吊り下げロープは、上方の突設固定部材に吊り下げられた滑車などを介して下方から遠隔操作により養生ネットを吊り上げることができる。また、一時的に塗装作業を中断する場合には、吊り下げロープを緩めることにより養生ネットを重畳することができる。
【００１３】
重畳した養生ネットを締結部材（小ロープ）により塔体部などに一時的に固定すれば、突風などに対応することもできる。また、塗装作業終了時には、養生装置の全てを回収する。
【発明の効果】
【００１４】
本発明に従えば、面単位で上下方向に展開・重畳可能な養生ネットを採用することにより、送電鉄塔のベンド上のアーム間の塔体部において養生ネットの展開、重畳が行える。また、面単位で上下方向に展開される養生ネットの張設位置を所定の標準距離を遵守した範囲内に設定しているので、線路停止を不要としても、塗装作業を安全に行える。これにより、送電鉄塔のベンド上のアーム間の塔体部を塗装する際に、線路停止を不要とでき、かつ、養生ネットの展開、重畳が行えるベンド上の養生装置及びそれを用いたベンド上の養生工法を提供することができる。
【発明を実施するための最良の形態】
【００１５】
以下、本発明を実施するための最良の形態について図面を参照しつつ説明する。
【００１６】
まず、図１〜図３は、本発明に係る養生装置を鉄塔に展開した状態を説明するための概略図である。これらの図において、符号１は、送電鉄塔２に展開された本発明に係る養生装置であり、この養生装置１は、送電鉄塔２から突出した複数のアーム２ａ（２ａＡ，２ａＢ…）間にある塔体部２ｂを塗装する際に用いるものである。
【００１７】
この養生装置１は、面単位で上下方向に展開・重畳可能な長方形の絶縁性の養生ネット６（６Ａ、６Ｂ）と、標準距離を遵守できるように塔体部２ｂとは離間して養生ネット６を塔体部２ｂの面に沿って上下方向に展開・重畳し、養生ネット６が展開された状態で養生ネット６の位置が標準距離を遵守できるように養生ネット６を塔体部６ｂとは離間して塔体部２ｂの外側に固定する固定具４とを備え、これらの固定具４は、塔体部２ｂの四隅のアングル型のコーナ柱３から外側に向けて突出して固定されている。
（固定具４を構成する各部材の説明）
この固定具４は、養生ネット６が展開された状態で養生ネット６の位置が標準距離を遵守できるように塔体部２ｂとの距離を一定距離に離間するものであり、例えば、図４に示すように、固定部材としての仮腕金７とこの仮腕金７を固定するための取付金具８及び取付金具ボルト９とから大略構成されている。
【００１８】
ここで、標準距離は鉄塔の仕様により異なり、例えば、１１０ｋＶ以下の鉄塔では、塔体部２ｂとの標準距離が５０ｃｍであり、１８７ｋＶ鉄塔では、標準距離が１ｍである。
【００１９】
仮腕金７は、図５に示すように、二つのボルト孔７ａａ、７ａｂを有した平板状の基部７ａを有し、この基部７ａの両側は直角に曲折されて補強片７ｄ、７ｄが形成されている。また、その基部７ａから延設されて棒状部材７ｂが溶接などにより固定され、この棒状部材７ｂには、四方に向けて放射状に延設された矢羽根の羽根のような形状の平板状の固定部７ｃが溶接などにより固定されている。ここで、この固定部７ｃは、図５（ｃ）に示すように、棒状部材７ｂとは直交し、かつ、基部７ａの平面とはそれぞれ４５度傾斜して固定され、これらの固定部７ｃには、等間隔に棒状部材７ｂの延設される方向に五つの貫通孔７ｃａ〜７ｃｅが穿設されている。
【００２０】
また、取付金具８は、図６に示すように、角度αが１３５度となるように接合された二つの固定板８ａ、８ｂを有し、それらの固定板８ａ、ｂの内側は、上下端付近で一対の補強リブ８ｃ、８ｃにより補強されている。この固定板８ａは、外表面を仮腕金７と面接して固定するためのものであり、図６（ｂ）に示すように、二つのボルト孔８ａａ，８ａｂが設けられ、これらのボルト孔８ａａ，８ａｂは、仮腕金７のボルト孔７ａａ、７ａｂとそれぞれ衝合する。
【００２１】
また、固定板８ｂは外表面をコーナ柱３の一外表面と面接するためのものであり、中央部よりに上下に一対のボルト孔８ｂｂが設けられている。これらのボルト孔８ｂｂには、それぞれ後述するボルト部材９が挿通される。
【００２２】
ここで、ボルト孔８ａａは、ボルト孔８ａｂに比べて僅かに下方に設けられ、この実施例では、ボルト孔８ａａとボルト孔８ａｂとを結ぶ直線が水平線とのなす角度βが５度になるように設定されている。
【００２３】
つぎに、取付ボルト９は、図７（ｂ）に示すように、頭部に貫通孔９Ａａを有し尾部９ａに雄ネジ部９ｄを有するボルト部材９Ａと、図７（ａ）に示すように、頭部にボルト頭部（止め部）９Ｂａを有し尾部９ａに雄ネジ部９ｄを有するボルト部材９Ｂとから大略構成され、ボルト部材９Ａの貫通孔９Ａａにはボルト部材９Ｂのボルト尾部９ａが挿嵌されて、ボルト９Ａとボルト９Ｂとは一対となって機能する。また、それぞれのボルト部材９Ａ，９Ｂには、コーナ柱３の側縁３ａへ固定するための嵌合凹部９ｂａ，９ｂａを有する固定片９ｂが挿嵌され、これらの固定片９ｂはナット９ｃにより固定される。
（固定具４の組立）
つぎに、このような各部材の固定具４への組立方法について図４を用いて説明する。
【００２４】
仮腕金７の基部７ａを固定板８ａの内側へ衝合させて、ボルト孔７ａａ、７ａｂをボルト孔８ａａ、８ａｂにそれぞれ位置合わせして、固定ボルト１０ａ、１０ｂによりボルト固定する。
【００２５】
一方、ボルト部材９Ｂの尾部９ｄからボルト部材９Ａの頭部の貫通孔９Ａａを貫通させ、ついで取付金具８の固定板８ｂの内側面が頭部貫通孔９Ａａ側となるようにボルト孔８ｂｂを貫通させる。ついで、それぞれのボルト尾部９ａから固定片９ｂを挿通させ、ナット９ｃにて仮止めする。以上の操作を繰り返し、上下のボルト孔８ｂｂを貫通させて二組の取付ボルト９を取付金具８に仮止めする。
（固定具４の塔体部への固定）
このような状態に固定具４を組み立てておくことにより、図４に示すように、コーナ柱３の外表面に固定板８ｂの外表面を当接させつつコーナ柱３の側縁３ａにそれぞれの固定片９ｂの嵌合凹部９ｂａを嵌合させる。ついで、ナット９ｃにより螺合締め付けを行うことにより、固定具４を塔体部２ｂから放射状に突出させて固定させることができる。
（養生ネット６の説明）
養生ネット６は、方形の絶縁性の網状体（ネット）から形成されている。このネットの周囲は、例えば、折り返されて鳩目などが適宜の間隔で形成されている。塔体部２ｂの大きさに合わせるには、複数のネットを並列させ、上下又は左右に隣接する鳩目をインシュロックなどの締結部材（不図示）により締結することにより所望の大きさに調製することができる。
【００２６】
正面又は裏面用の養生ネット６Ａ（以下、正面用の養生ネット６Ａという。）の上端縁６ａは、図８に示すように、直線状のネット支持枠１１に固定され、また、養生ネット６Ａの適宜の位置（図面では中間位置６ｂに１カ所）は、直線状のネット支持枠１１Ａに固定されている。ここで、ネット支持枠１１とネット支持枠１１Ａとは互いに平行である。これにより、これらのネット支持枠１１、１１Ａにより支持されて養生ネット６Ａが塔体部２ｂの一側面を覆うに充分な幅が確保されている。各ネット支持枠１１，１１Ａは、それぞれ接続金具１２により接続されてその長さが延長されている。
【００２７】
また、養生ネット６Ａの上端縁６ａの両隅には一対の固定用のカラビナ（環状止め部材）１３、１３が固定され、これらのカラビナ１３，１３は、想像線（二点鎖線）で示したように、それぞれ一対の吊り下げロープ１４、１４に固定するためのものである。また、養生ネット６Ａの下端縁６ｃの両角には、固定用のカラビナ（環状止め部材）１３ａ，１３ａが固定されている。
【００２８】
一方、この養生ネット６Ａの両側縁６ｅ、６ｅには適宜の間隔を開けて複数のカラビナ１５…が固定されている。さらに、この養生ネット６Ａの下端縁６ｃにはネットを重畳した場合の結束用の複数の小ロープ１６…が固定され、これらの小ロープ１６…はネットを重畳した場合の固定バンドとされたり、ネットを展開する場合のネットの下端縁６ｃを塔体部２ｂに固定する際に利用される。
【００２９】
このような構成の養生ネット６Ａでは、図８に示すように、カラビナ１５…に、想像線（一点鎖線）で示したガイドロープ（又は垂直ロープ）５，５を挿通することにより、これらのカラビナ１５…は、ガイドロープ５に誘導されて養生ネット６を上下方向（重力方向）に展開又は重畳（折り畳む）する際のガイド部材として機能する。
【００３０】
一方、アーム２ａが張り出されている側面用の養生ネット６Ｂ（以下、側面用の養生ネット６Ｂという。）は、図８に示す正面用の養生ネット６Ａにおいて、ネット支持枠１１、１１Ａを設けていないことを除いて、正面用の養生ネット６Ａと大略一致している。
【００３１】
すなわち、図３（ｂ）に示すように、側面用の養生ネット６Ｂの上端縁６ａの両隅には一対のカラビナ（環状部材）１３、１３が固定され、これらのカラビナ１３，１３には一対の吊り下げロープ１４、１４が固定される。また、養生ネット６Ｂの下端縁６ｃの両角には、固定用のカラビナ１３ａ，１３ａが固定され、これらのカラビナ１３ａ，１３ａは、塔体部２ｂに固定される。
【００３２】
また、この養生ネット６Ｂの両側縁６ｅ、６ｅには上端縁６ａ又は下端縁６ｃから適宜の間隔を開けた中間位置に複数のカラビナ１５…が固定されている。これらのカラビナ１５…には、左右に一対のガイドロープ（又は垂直ロープ）５，５が挿通される。
（作業手順）
つぎに、以上説明した養生装置１を用いた養生ネットの設置手順について説明する。
（事前検討）
事前に現地調査を行い、ネット寸法を調製し、また、標準距離を考慮した固定具４の選択を行う。
（固定具４の取付）
回線遮断板よりも前方には工具や作業者が飛び出さないように留意して四角の各コーナ柱３…の所定の位置（この実施例では、上中下の各アーム２ａの基部近辺の四方）に放射状に突出させて固定具４（上方から４Ａ，４Ｂ、４Ｃとそれぞれ呼称する。）を取り付ける。
【００３３】
上方の固定具４Ａの二つの貫通孔７ｃｄ、７ｃｄを利用して、図２（ａ）に示すように、滑車１７をＵクレビス（連結部材）１８を介して固定し、この滑車１７には、吊り下げロープ１４を挿通させる。また、固定具４Ａの最も外側に張り出している貫通孔７ｃａに、Ｕクレビス（連結部材）１９を介してシンプルスナッチなどの小型の滑車２０を取り付ける。
【００３４】
一方、下方の固定具４Ｃの中央の貫通孔７ｃｃ、７ｃｃを利用して、図２（ｃ）に示すように、渦巻きクランプ（固定部材）２１をカラビナ（連結部材）２２を介して固定し、この渦巻きクランプ２１により垂直ロープ５を巻き取る。
（垂直ロープの設置）
７ｍｍのケブラーロープを垂直ロープ５として用い、上方の固定具４Ａに固定された滑車２０を介して下方の固定具４Ｃに固定された渦巻きクランプ２１に巻き取ることにより、アーム２ａＡ、２ａＣ間に垂直に固定する。この際、垂直ロープ５は、中間の固定具４Ｂの外から二番目の貫通孔７ｃｂを挿通させて鉛直性を確保する。
（養生ネット６Ａの取り付け）
正面側の養生ネット６Ａの各カラビナ１５…を垂直ロープ５に挿通させる。ここで、これらのカラビナ１５…の挿通は、養生ネット６Ａを重畳させた状態でも行える。一方、小ロープ１６…（図３（ａ）参照。）を適宜の塔体部２ｂに固定し、作業中に養生ネット６Ａの下端が風でなびかないように注意する。
【００３５】
ついで、吊り上げロープ１４の一端を固定具４Ｃの貫通孔７ｃｅ（図２（ｃ）参照）に締結して固定し、滑車１７を介して養生ネット６Ａのカラビナ１３（図２（ａ）参照）に挿通させる。
【００３６】
吊り上げロープ１４にて養生ネット６Ａを吊り上げると養生ネット６Ａは、図３（ａ）に示すように、ネット支持枠１１により幅方向に展開された状態で、固定具４Ａ、４Ｂ間の塔体部２ｂの所定の位置にセットされる。この状態で、吊り上げロープ１４は、図２（ｃ）に示すように、固定具４Ｃのカラビナ２２に固定する。同様にして、反対面側の養生ネット６Ａを固定する。
（養生ネット６Ｂの取り付け）
側面側の養生ネット６Ｂも、図３（ｂ）に示すように、同様にして中間位置の各カラビナ１５を垂直ロープ５に挿通させる。養生ネット６Ｂの下端縁６ｃ側は、中間位置のアーム２ａＢの内側を通し、両角に固定されたカラビナ１３ａ，１３ａをそれぞれコーナ柱３付近の塔体部２ｂに固定する。また、小ロープ１６は、適宜の塔体部２ｂに固定し、作業中養生ネット６Ｂの下端が風でなびくことが防止できる。
【００３７】
ついで、吊り上げロープ１４の一端を固定具４Ｃに締結して固定し、滑車１７を介して養生ネット６Ｂのカラビナ１３に挿通させる。このとき、この吊り上げロープ１４は、固定具４Ａが設置されている上方のアーム２ａＡの内側を通過させる。吊り上げロープ１４にて養生ネット６Ｂを吊り上げると、養生ネット６Ｂの上方は、アーム２ａＡの内側をとおり吊り上げられるが、固定具４Ａ、４Ｂ間の塔体部２ｂは、垂直ロープ５により展開されて張設されている。これにより、大略図３（ｂ）に示す所定の位置に養生ネット６Ｂを張設させることができる。同様にして、反対側面の養生ネット６Ｂも固定する。
【００３８】
塔体内の下部に塔体内用の養生ネットを展開して張設することにより養生ネットの設置が完了する。事前検討におけるネット寸法が正確で有れば、養生ネットにたるみは発生しない。
（塗装作業の中断、終了）
塗装作業を中断したい場合には、正面及び裏面側では、吊り下げロープ１４を緩めて養生ネット６Ａを下端縁６ｃに向けて重畳させ、小ロープ１６により締結する。また、側面側では締結したカラビナ１３ａ及び小ロープ１６を解除して、同様に吊り下げロープ１４を緩める。これにより、アーム２ａＢ付近に養生ネット６Ｂを重畳させ、小ロープ１６でアーム２ａＢ付近の塔体部２ｂに締結する。これにより、強風が吹いても養生ネット６Ａ、６Ｂが飛散することはない。
【００３９】
以上の構成によれば、養生ネット６Ａ、６Ｂは標準距離を維持しつつ展開可能に構成されているので、無停電で全ての作業を行うことができる。
【００４０】
また、このような養生装置を用いた養生工法では、吊り下げロープを滑車をとおして引っ張ることにより養生ネットを送電鉄塔のアーム間に展開することができ、また、一時的に塗装作業を中断する場合には、吊り下げロープを緩めて収納ロープを操作することにより養生ネットを重畳することができる。
【００４１】
また、本発明によれば、養生ネットは上下方向に展開・重畳させているので、アーム２ａが突出した側面側の塔体部２ｂに対しても、養生ネット６Ｂを効率的に、かつ、短時間に展開又は重畳させることができる。
【００４２】
重畳した養生ネットは締結部材（小ロープ）により塔体部などに一時的に固定することにより作業中断時の安全性を確保できる。
【００４３】
固定具４Ａ、４Ｂ間の塗装が終了したら、同様な手法により固定具４Ｂ、４Ｃ間に養生ネット６Ａ、６Ｂを展開・重畳させ、同様な工法により固定具４Ｂ、４Ｃ間の塔体部２ｂの塗装を行う。固定具４Ｂ、４Ｃ間には、既に標準距離を確保された垂直ロープ（ガイドロープ）５が張設され、かつ、吊り下げロープ１４を操作するための滑車１７もそのまま利用できるので、養生ネット６Ａ、６Ｂの移動作業はスムースに行える。
【００４４】
固定具４Ｃ、４Ａ間のベンド上の塔体部２ｂの塗装作業の全てが終了した時には、養生装置の全てを回収する。
【変形例】
【００４５】
この変形例は、鋼管鉄塔用の固定具４０を開示している。
【００４６】
この固定具４０は、図９及び図１０に示すように、基部４１に荷締めバンド４２を貫通するための上下一対の締結孔４３、４３を有し、先端に向けて棒状に延設された角形のアーム部４４とを備える仮腕金４５と、この仮腕金４５にボルトナット４６などにより位置調整可能に固定される固定金具４７と、この固定金具４７をアーム部４４の背面から把持する把持金具４８とから大略構成されている。
【００４７】
固定金具４７は、長方形の平板鋼材であり、両端には一対の貫通孔４７ａ，４７ａが穿設され、その内側にアーム部４４を挟持してボルト止めをするための二対のボルト孔４７ｂ…が対称に設けられている。また、保持金具４８は、一対のボルト孔４７ｂに対応したボルト孔４８ａを有している。
【００４８】
つぎに、この固定具４０の組立及び鋼管鉄塔への固定について説明する。
【００４９】
一個の固定金具４７と二個の保持金具４８と四個のボルトナット４６を用意し、それぞれのボルト孔４７ａ，４８ａにボルトを挿通させてナットにて仮止めをする。
【００５０】
アーム部４４の上面４４ａの所定位置に固定金具４７が来るように載置してボルトナット４６を締め付けて図９の状態とする。なお、図９では、固定金具４７をアーム部４４に一個取り付けた状態を示しているが、この固定金具４７は通常は二個取り付ける。
【００５１】
固定具４０の取り付けは、締結孔４３に荷締めバンド４２を貫通させ、図１０に示すように、アーム部４４の先端がコーナ柱３から４５度の傾きで放射状に突出させた状態で背後を止め金具４２ａにより固定する。回線遮断板よりも前方には工具や作業者が飛び出さないように留意して各コーナ柱３…の所定の位置に放射状に突出させて固定具４０を取り付ける。
【００５２】
以下、これらの取り付けられた固定具４０には、固定具４の貫通孔７ｃａ〜７ｃｅに相当する多数の貫通孔４７ａ…が設けられているので、これらの貫通孔４７ａ…を利用して、滑車１７、２０を吊り下げたり、また、渦巻きクランプ２１を固定し、所定位置に配設された貫通孔４７ａを利用して垂直ロープ５を概略鉛直方向に張設し、また、吊り下げロープ１４を固定することができる。
【図面の簡単な説明】
【００５３】
【図１】本発明に係る養生装置を鉄塔に展開した状態を説明するための概略図である。
【図２】図１の部分拡大図であり、図２（ａ）は、固定具４Ａ付近の拡大図、図２（ｂ）は、固定具４Ｂ付近の拡大図、図２（ｃ）は、固定具４Ｃ付近の拡大図である。
【図３】図３（ａ）は、図１の正面図であり、図３（ｂ）は、図１の側面図である。
【図４】固定具４の組立と塔体部への固定状況を説明する図である。
【図５】固定具４を構成する部材である仮腕金を説明する図であり、図５（ａ）は正面図、図５（ｂ）は底面図、図５（ｃ）は左側面図である。
【図６】固定具４を構成する部材である取付金具８を説明する図であり、図５（ａ）は平面図、図５（ｂ）は正面図である。
【図７】図７（ａ）及び（ｂ）は、固定具４を構成する部材である一対の取付ボルト（ボルト部材９Ａ、９Ｂ）を説明する平面図である。
【図８】養生ネット６Ａを説明する図である。
【図９】固定具４０の概要を説明する斜視図である。
【図１０】固定部４０を鋼管鉄塔に取り付けた状態を説明する図である。
【符号の説明】
【００５４】
１：養生装置
２：送電鉄塔
２ａ（２ａＡ、２ａＢ、２ａＣ）：アーム
２ｂ：塔体部
３：コーナ柱
３ａ：側縁
４（４Ａ、４Ｂ、４Ｃ）：固定具
５：ガイドロープ（垂直ロープ）
６（６Ａ，６Ｂ）：養生ネット
６ａ：上端縁
６ｂ：中間位置
６ｃ：下端縁
６ｅ：側縁
７：仮腕金
７ａ：基部
７ａａ：ボルト孔
７ａｂ：ボルト孔
７ｂ：棒状部材
７ｃ：固定部
７ｃａ〜７ｃｅ：貫通孔
７ｄ：補強片
８：取付金具
８ａ：固定板
８ａａ：ボルト孔
８ａｂ：ボルト孔
８ｂ：固定板
８ｂｂ：ボルト孔
９：取付金具ボルト
９：取付ボルト
９Ａ：ボルト部材
９Ａａ：頭部貫通孔
９Ｂ：ボルト部材
９Ｂａ：頭部
９ａ：尾部
９ｂ：固定片
９ｂａ：嵌合凹部
９ｃ：ナット
９ｄ：雄ネジ部
１０ａ：固定ボルト
１０ｂ：固定ボルト
１１：ネット支持枠
１１Ａ：ネット支持枠
１２：接続金具
１３，１３ａ：カラビナ（環状止め部材）
１４：吊り下げロープ
１５：カラビナ（環状止め部材：ガイド部材）
１６：小ロープ
１７：滑車
１８：Ｕクレビス
１９：Ｕクレビス
２０：滑車（シンプルスナッチ）
２１：渦巻きクランプ
２２：カラビナ
４０：固定具
４１：基部
４２：荷締めバンド
４２ａ：止め金具
４３：締結孔
４４：アーム部
４４ａ：上面
４５：仮腕金
４６：ボルトナット
４７：固定金具
４７ａ：貫通孔
４７ｂ：ボルト孔
４８：保持金具
４８ａ：ボルト孔
【図１】
2007262768.tif 000003
【図２】
2007262768.tif 000004
【図３】
2007262768.tif 000005
【図４】
2007262768.tif 000006
【図５】
2007262768.tif 000007
【図６】
2007262768.tif 000008
【図７】
2007262768.tif 000009
【図８】
2007262768.tif 000010
【図９】
2007262768.tif 000011
【図１０】
2007262768.tif 000012